(57)【要約】【課題】金箱３５を持ち上げる作業が発生せず、金箱３５の回収作業を容易にできる硬貨処理機１７の金箱回収システム２６を提供する。【解決手段】硬貨処理機本体３１から台車３３を引き出し、台車３３上の回収する金箱３５の位置をこの台車３３の引出領域５６の一側面側に臨んで設けた金箱移送装置１９の導入口５７に合わせる。台車３３上の金箱３５はローラや低摩擦シートなどの送出手段で支持し、この送出手段で支持した金箱３５を一側面側から導入口５７に送出する。金箱３５を台車３３と略同一高さ位置に設けた金箱移送装置１９の移送面５３に載り移らせ、金箱移送装置１９で金箱３５を移送する。金箱３５を持ち上げる作業が発生せず、金箱３５の回収作業が容易になる。【選択図】　　　　図１
2004054331.tif 000002
【特許請求の範囲】
【請求項１】
硬貨を複数の金箱に分類収納する硬貨処理機と、この硬貨処理機から回収する硬貨を収納した金箱を移送する金箱移送装置とを備えた硬貨処理機の金箱回収システムであって、
前記硬貨処理機は、硬貨を処理する硬貨処理機本体、複数の金箱が並んで搭載されこれら金箱の並設方向に硬貨処理機本体から引出可能とする台車、およびこの台車上に搭載される各金箱を並設方向と交差する一側面側へ送出可能に支持する送出手段を有し、
前記金箱移送装置は、前記台車の引出領域の一側面側に臨んで設けられた導入口、およびこの導入口に前記台車の一側面側から送出される金箱を受入可能とする高さ位置に設けられ金箱を載せて移送する移送面を有している
ことを特徴とする硬貨処理機の金箱回収システム。
【請求項２】
金箱移送装置は、金箱の並設方向と交差する一側面側を移送方向へ向けて移送し、かつ、この金箱の移送方向と交差する両側面をガイドする移送ガイドを有している
ことを特徴とする請求項１記載の硬貨処理機の金箱回収システム。
【請求項３】
金箱移送装置は、金箱を移送する主移送部と、金箱を導入口から主移送部に合流させる複数の導入移送部とを有している
ことを特徴とする請求項１または２記載の硬貨処理機の金箱回収システム。
【請求項４】
導入移送部は、導入口から主移送部の移送方向に向かってカーブしたカーブコンベヤである
ことを特徴とする請求項３記載の硬貨処理機の金箱回収システム。
【請求項５】
送出手段は、金箱の送出方向に回転可能とする複数のローラを有している
ことを特徴とする請求項１ないし４いずれか記載の硬貨処理機の金箱回収システム。
【請求項６】
送出手段は、台車の上面に設けられた低摩擦シートを有している
ことを特徴とする請求項１ないし４いずれか記載の硬貨処理機の金箱回収システム。
【発明の詳細な説明】
【０００１】
【発明の属する技術分野】
本発明は、硬貨を処理して複数の金箱に分類収納し、その硬貨を収納した金箱を回収して次工程へ送る硬貨処理機の金箱回収システムに関する。
【０００２】
【従来の技術】
一般に、現金処理センタでは、図６に示すように、金融機関や百貨店およびスーパーマーケットなどの各店舗から回収された多量の硬貨の計数確認や入金といった所定の処理をする硬貨処理機１が用いられている。この硬貨処理機１で処理した硬貨は金種別の金箱２へ分類収納し、硬貨処理機１の金種別の金箱２が満杯になると、その金箱２を取り出して次工程へ送り、例えば４０００枚毎に袋へ収納するようにしている。
【０００３】
硬貨処理機１から金箱２を回収する際には、硬貨処理機１から金箱２を搭載した台車３を引き出し、回収する金箱２を台車３から持ち上げ、金箱移送装置４の金箱挿入台５に予め配置しておいた搬送媒体６に持ち上げた金箱３を載せ、所定数の金箱２を載せた搬送媒体６を金箱移送装置４の主移送部７上に送り込み、主移送部７で次工程へ移送している。
【０００４】
【発明が解決しようとする課題】
しかしながら、硬貨が満杯状態の金箱２は、硬貨が４０００枚以上収納されていて、質量が２０ｋｇ程度もあり、この金箱２を台車３から持ち上げて搬送媒体６に載せかえる作業が重労働であり、金箱２の回収作業が容易でない問題がある。
【０００５】
本発明は、このような点に鑑みなされたもので、金箱を持ち上げる作業が発生せず、金箱の回収作業を容易にできる硬貨処理機の金箱回収システムを提供することを目的とする。
【０００６】
【課題を解決するための手段】
請求項１記載の硬貨処理機の金箱回収システムは、硬貨を複数の金箱に分類収納する硬貨処理機と、この硬貨処理機から回収する硬貨を収納した金箱を移送する金箱移送装置とを備えた硬貨処理機の金箱回収システムであって、前記硬貨処理機は、硬貨を処理する硬貨処理機本体、複数の金箱が並んで搭載されこれら金箱の並設方向に硬貨処理機本体から引出可能とする台車、およびこの台車上に搭載される各金箱を並設方向と交差する一側面側へ送出可能に支持する送出手段を有し、前記金箱移送装置は、前記台車の引出領域の一側面側に臨んで設けられた導入口、およびこの導入口に前記台車の一側面側から送出される金箱を受入可能とする高さ位置に設けられ金箱を載せて移送する移送面を有しているものである。
【０００７】
そして、この構成では、硬貨処理機本体から台車を引き出し、台車上の回収する金箱の位置をこの台車の引出領域の一側面側に臨んで設けられた金箱移送装置の導入口に合わせ、台車の送出手段で支持された金箱を一側面側から導入口に送出し、この導入口に台車の一側面側から送出される金箱を受入可能とする高さ位置に設けられた移送面に載り移らせ、移送面上の金箱を移送するため、金箱を持ち上げる作業が発生せず、金箱の回収作業が容易になる。
【０００８】
請求項２記載の硬貨処理機の金箱回収システムは、請求項１記載の硬貨処理機の金箱回収システムにおいて、金箱移送装置は、金箱の並設方向と交差する一側面側を移送方向へ向けて移送し、かつ、この金箱の移送方向と交差する両側面をガイドする移送ガイドを有しているものである。
【０００９】
そして、この構成では、金箱の並設方向と交差する一側面側を移送方向へ向けて移送し、この金箱の移送方向と交差する両側面を移送ガイドでガイドするため、金箱の単体での移送が可能となる。
【００１０】
請求項３記載の硬貨処理機の金箱回収システムは、請求項１または２記載の硬貨処理機の金箱回収システムにおいて、金箱移送装置は、金箱を移送する主移送部と、金箱を導入口から主移送部に合流させる複数の導入移送部とを有しているものである。
【００１１】
そして、この構成では、複数の導入移送部に対応して複数の硬貨処理機が設置可能で、処理能力の向上に対応可能となる。
【００１２】
請求項４記載の硬貨処理機の金箱回収システムは、請求項３記載の硬貨処理機の金箱回収システムにおいて、導入移送部は、導入口から主移送部の移送方向に向かってカーブしたカーブコンベヤであるものである。
【００１３】
そして、この構成では、カーブコンベヤに沿って金箱を移送するだけで主移送部に合流させることが可能となる。
【００１４】
請求項５記載の硬貨処理機の金箱回収システムは、請求項１ないし４いずれか記載の硬貨処理機の金箱回収システムにおいて、送出手段は、金箱の送出方向に回転可能とする複数のローラを有しているものである。
【００１５】
そして、この構成では、複数のローラが金箱の送出方向に回転し、金箱を容易に送出可能となる。
【００１６】
請求項６記載の硬貨処理機の金箱回収システムは、請求項１ないし４いずれか記載の硬貨処理機の金箱回収システムにおいて、送出手段は、台車の上面に設けられた低摩擦シートを有しているものである。
【００１７】
そして、この構成では、金箱が低摩擦シート上を滑り、金箱を容易に送出可能となる。
【００１８】
【発明の実施の形態】
以下、本発明の一実施の形態を図１ないし図５を参照して説明する。
【００１９】
図５に硬貨処理機の金箱回収システムを適用した現金処理センタの平面図を示し、開封エリア１１、精算エリア１２、および袋取りエリア１３を有している。
【００２０】
開封エリア１１では、金融機関や百貨店およびスーパーマーケットなどの各店舗から回収される硬貨や紙幣を収納する現金容器を搬送台車１４で運び込み、その現金容器を開封した後にコンベヤ１５に載せて精算エリア１２に搬送する。
【００２１】
精算エリア１２では、コンベヤ１５の両側に沿って複数台の処理装置１６が設置されており、コンベヤ１５で搬送されてくる現金容器を各処理装置１６の位置で取り出し、硬貨を処理装置１６の硬貨処理機１７に投入して識別計数し、紙幣を処理装置１６の紙幣処理機１８に投入して識別計数し、識別計数した硬貨および紙幣と伝票との一致を確認する。硬貨処理機１７で識別計数した硬貨は、金種別に分類し、金種別の金箱に収納する。満杯になった金箱は、硬貨処理機１７から取り出し、コンベヤ１５の下側に沿って設置された金箱移送装置１９によって袋取りエリア１３に移送する。また、精算エリア１２には、コンベヤ１５や金箱移送装置１９を制御する制御盤２０、および各処理装置１６のデータを集計するターミナル２１なども設置されている。
【００２２】
袋取りエリア１３では、金種別の硬貨計数袋取機２２が並設され、金箱移送装置１９で搬送されてきた金箱を対応する金種の硬貨計数袋取機２２のリフト２３に投入し、このリフト２３によって投入された硬貨を上昇させて硬貨計数袋取機２２に投入し、この硬貨計数袋取機２２で硬貨を識別計数して例えば４０００枚毎に袋取りする。袋取りした硬貨はパレット２４に移載し、空の金箱は運搬台車２５に載せて各硬貨処理機１７に戻す。
【００２３】
そして、硬貨処理機１７、金箱移送装置１９および硬貨計数袋取機２２などで金箱回収システム２６が構成されている。
【００２４】
次に、図１に硬貨処理機の金箱回収システム２６の一部の斜視図、図２に硬貨処理機の金箱回収システム２６の一部の平面図を示す。
【００２５】
硬貨処理機１７は、硬貨処理機本体３１を有し、この硬貨処理機本体３１の上面に硬貨を投入する投入口３２が形成され、硬貨処理機本体３１の下部側に台車３３が引出可能に装填される台車装填部３４が形成され、台車３３には金種別の金箱３５が並列に搭載されている。そして、投入口３２に投入された硬貨が、硬貨処理機本体３１内で識別計数されて金種別に分類され、金種別の金箱３５に収納される。
【００２６】
台車３３に搭載される金種別の金箱３５は台車３３の引出方向に並設され、言い換えれば金箱３５の並設方向に台車３３を引出可能としている。各金箱３５は、上面が開口し、台車３３に並列に搭載される並設方向の幅が狭く、並設方向と交差する方向の幅が広い縦型の箱状に形成されている。
【００２７】
台車３３は、台部３６を有し、この台部３６の下面に床面を台車装填部３４に対する挿入・引出方向に走行可能とする図示しない走行輪が取り付けられ、台部３６の前面に台車装填部３４の前面開口を閉塞する前面部３７が取り付けられ、この前面部３７には引出操作するための取手３８などが取り付けられている。
【００２８】
台車３３の台部３６上に金種別の金箱３５を搭載する搭載面３９が形成され、図３および図４に示すように、搭載面３９の周囲には前面部３７および台車３３の引出方向と交差する一側面側を除いて金箱３５を位置決め保持するガイド板４０が立設されている。
【００２９】
台車３３の搭載面３９には、台車３３上に搭載される各金箱３５を並設方向と交差する一側面側へ送出可能に支持する送出手段４１が配設されている。この送出手段４１は、図４に示すように、金箱３５の送出方向に回転可能とする複数のローラ４２で構成されたり、また、図５に示すように、例えば樹脂シートなどの表面の摩擦係数が小さくて滑りやすい低摩擦シート４３で構成されている。なお、ローラ４２の場合には、各金箱３５の搭載位置に毎に個別に回転可能に分割されているか、あるいは幅の狭いコロを複数用いたコロコンベヤで構成され、１つの金箱３５の送出を可能とするとともに金箱３５の送出につられて他の金箱３５が移動するのを防止している。
【００３０】
台車装填部３４は、硬貨処理機本体３１の前面側および下面が開口され、前面開口の一側面側には台車３３から一側面側に飛び出している金箱３５を台車３３上の所定の搭載位置に押し込むガイド部４４が形成されている。
【００３１】
また、金箱移送装置１９は、コンベヤ１５の下方に設置されて精算エリア１２から袋取りエリア１３まで金箱３５を移送する主移送部５１、およびこの主移送部５１の両側の各硬貨処理機１７の位置に対応して設けられ各硬貨処理機１７から回収する金箱３５を受け入れて主移送部５１に合流させる複数の導入移送部５２を有している。これら主移送部５１および導入移送部５２の金箱３５を載せて移送する移送面５３は、台車３３から送出手段４１によって送出される金箱３５を受入可能とする高さ位置であって、台車３３の金箱３５を搭載する搭載面３９と略同一の高さに設定されている。
【００３２】
主移送部５１は、直線状のローラコンベヤで構成され、両側のフレーム５４およびこれらフレーム５４間に沿ってそれぞれ回転可能に並設された複数のローラ５５を有し、これら複数のローラ５５の上面で金箱３５を載せて移送する移送面５３が形成されている。複数のローラ５５は、金箱３５を移送する移送方向に対応して回転駆動される。
【００３３】
各導入移送部５２は、一端が硬貨処理機本体３１からの台車３３の引出領域５６の一側面側に臨んで配置されるとともに他端が主移送部５１に合流され、その台車３３の引出領域５６の一側面側に臨む一端部に台車３３上の金箱３５を受け入れる導入口５７が形成され、この導入口５７から主移送部５１の移送方向に向かってカーブするカーブコンベヤで構成されている。両側の湾曲したフレーム５８およびこれらフレーム５８間に沿ってそれぞれ回転可能に並設された複数のローラ５９を有し、これら複数のローラ５９の上面で金箱３５を載せて移送する移送面５３が形成されている。複数のローラ５９は、駆動せず、フリーに回転自在としている。
【００３４】
主移送部５１および導入移送部５２の上方には、台車３３から送出された金箱３５をその並設方向と交差する一側面側を移送方向へ向けて移送するようにガイドするものであって、金箱３５の移送方向と交差する両側面をガイドする両側の移送ガイド６０，６１を有している。主移送部５１の両側の移送ガイド６０は、主移送部５１に沿って直線状に配設され、これら両側の移送ガイド６０間の間隔が移送する金箱３５の幅よりわずかに広い幅に設定されている。導入移送部５２の両側の移送ガイド６１は、導入移送部５２に沿ってカーブされて配設され、両側の移送ガイド６１間の間隔が導入移送部５２のカーブに沿った金箱３５の方向変換を伴う移動を許容するために主移送部５１の両側の移送ガイド６０間の間隔よりわずかに広い幅に設定されている。
【００３５】
次に、本実施の形態の金箱回収システム２６の作用を説明する。
【００３６】
硬貨処理機本体３１の台車装填部３４には、金種別の金箱３５が搭載された台車３３が挿入配置されている。
【００３７】
硬貨処理機本体３１の投入口３２に投入された硬貨は、硬貨処理機本体３１内で識別計数されて金種別に分類され、台車３３に搭載されている金種別の金箱３５に収納される。
【００３８】
そして、ある金種の金箱３５が満杯になれば、硬貨処理機本体３１内で識別計数および分類の処理を一時中止する。
【００３９】
硬貨処理機本体３１から台車３３を引き出し、台車３３上の回収する金箱３５の位置をこの台車３３の引出領域５６の一側面側に臨んで設けられた導入移送部５２の導入口５７に合わせる。
【００４０】
台車３３上の回収する金箱３５を、台車３３の一側面側から導入口５７に向けて押し出し、導入移送部５２の移送面５３に載り移らせる。このとき、台車３３の搭載面３９に搭載されている金箱３５は送出手段４１のローラ４２または低摩擦シート４３で支持されているため、ローラ４２であればこのローラ４２の回転によって金箱３５を移動でき、低摩擦シート４３であればこの低摩擦シート４３上を滑らせて金箱３５を移動でき、硬貨が満杯に収納された金箱３５でも容易に押し出すことができる。また、導入移送部５２の移送面５３が台車３３の搭載面３９と略同一高さに位置しているため、台車３３から押し出される金箱３５を導入移送部５２の移送面５３に載り移らせることができる。
【００４１】
なお、台車３３から複数の金箱３５を回収する場合には、次に回収する金箱３５の位置をこの台車３３の引出領域５６の一側面側に臨んで設けられた導入移送部５２の導入口５７に合わせ、上述したように、台車３３の一側面側から導入口５７に向けて押し出し、導入移送部５２の移送面５３に載り移らせる。
【００４２】
導入移送部５２の移送面５３に載り移った金箱３５を、この金箱３５の一側面側を先頭として導入移送部５２内を押しながら移動させて主移送部５１に合流させる。このとき、導入移送部５２がカーブコンベヤであるとともに金箱３５の移送方向と交差する両側面を移送ガイド６０でガイドするため、この導入移送部５２のカーブに沿って金箱３５を移動させるだけで、主移送部５１に合流させる方向に向けて方向変換し、主移送部５１に合流させることができる。
【００４３】
主移送部５１に合流した金箱３５は、金箱３５の一側面側を移送方向へ向け、主移送部５１の駆動によって下流の袋取りエリア１３に移送する。このとき、金箱３５の移送方向と交差する両側面を移送ガイド６１でガイドする。
【００４４】
また、台車３３上の空いたスペースには空の金箱３５を搭載し、台車３３を硬貨処理機本体３１の台車装填部３４に挿入し、硬貨処理機本体３１での識別計数および分類の処理を再開する。
【００４５】
このように、金箱３５の回収時には、硬貨処理機本体３１から台車３３を引き出し、台車３３上の回収する金箱３５の位置をこの台車３３の引出領域３６の一側面側に臨んで設けられた金箱移送装置１９の導入口５７に合わせ、台車３３の送出手段４１で支持された金箱３５を一側面側から導入口５７に送出し、この導入口５７に台車３３の一側面側から送出される金箱３５を受入可能とする高さ位置に設けられた移送面５３に載り移らせ、移送面５３上の金箱３５を移送するため、金箱３５を持ち上げる作業が発生せず、金箱３５の回収作業を容易にできる。
【００４６】
また、金箱移送装置１９では、金箱３５の移送方向と交差する両側面を移送ガイド６０，６１でガイドするため、金箱３５を単体で移送でき、従来のように搬送媒体を用いる必要がなく、そのため、搬送媒体の準備および保管や、袋取りエリア１３に移動した搬送媒体の精算エリア１２への返却といった取り扱いが必要なく、この点でも金箱３５の回収作業を容易にできる。
【００４７】
また、金箱移送装置１９では、主移送部５１に対して金箱３５を合流させる複数の導入移送部５２を有しているため、複数の導入移送部５２に対応して複数の硬貨処理機１７が設置可能で、処理能力の向上に対応できる。
【００４８】
なお、金箱移送装置１９の導入移送部５２は、カーブコンベヤに限らず、金箱３５の向きを方向変換して主移送部５１で移送できれば、どのような形式のコンベヤでも用いることができる。
【００４９】
【発明の効果】
請求項１記載の硬貨処理機の金箱回収システムによれば、硬貨処理機本体から台車を引き出し、台車上の回収する金箱の位置をこの台車の引出領域の一側面側に臨んで設けられた金箱移送装置の導入口に合わせ、台車の送出手段で支持された金箱を一側面側から導入口に送出し、この導入口に台車の一側面側から送出される金箱を受入可能とする高さ位置に設けられた移送面に載り移らせ、移送面上の金箱を移送するため、金箱を持ち上げる作業が発生せず、金箱の回収作業を容易にできる。
【００５０】
請求項２記載の硬貨処理機の金箱回収システムによれば、請求項１記載の硬貨処理機の金箱回収システムの効果に加えて、金箱移送装置では、金箱の並設方向と交差する一側面側を移送方向へ向けて移送し、この金箱の移送方向と交差する両側面を移送ガイドでガイドするため、金箱を単体で移送できる。
【００５１】
請求項３記載の硬貨処理機の金箱回収システムによれば、請求項１または２記載の硬貨処理機の金箱回収システムの効果に加えて、金箱移送装置では、金箱を移送する主移送部と、金箱を導入口から主移送部に合流させる複数の導入移送部とを有しているため、複数の導入移送部に対応して複数の硬貨処理機が設置可能で、処理能力の向上に対応できる。
【００５２】
請求項４記載の硬貨処理機の金箱回収システムによれば、請求項３記載の硬貨処理機の金箱回収システムの効果に加えて、導入移送部が導入口から主移送部の移送方向に向かってカーブしたカーブコンベヤであり、カーブコンベヤに沿って金箱を移送するだけで主移送部に合流させることができる。
【００５３】
請求項５記載の硬貨処理機の金箱回収システムによれば、請求項１ないし４いずれか記載の硬貨処理機の金箱回収システムの効果に加えて、送出手段が金箱の送出方向に回転可能とする複数のローラであり、このローラの回転によって金箱を容易に送出できる。
【００５４】
請求項６記載の硬貨処理機の金箱回収システムによれば、請求項１ないし４いずれか記載の硬貨処理機の金箱回収システムの効果に加えて、送出手段が台車の上面に設けられた低摩擦シートであり、この低摩擦シート上を滑らせて金箱を容易に送出できる。
【図面の簡単な説明】
【図１】本発明の一実施の形態を示す硬貨処理機の金箱回収システムの一部の斜視図である。
【図２】同上硬貨処理機の金箱回収システムの一部の平面図である。
【図３】同上硬貨処理機の金箱回収システムの送出手段としてローラを用いた台車の斜視図である。
【図４】同上硬貨処理機の金箱回収システムの送出手段として低摩擦シートを用いた台車の斜視図である。
【図５】同上硬貨処理機の金箱回収システムを適用した現金処理センタの平面図である。
【図６】従来の硬貨処理機の金箱回収システムの斜視図である。
【符号の説明】
１７　　硬貨処理機
１９　　金箱移送装置
２６　　金箱回収システム
３１　　硬貨処理機本体
３３　　台車
３５　　金箱
４１　　送出手段
４２　　ローラ
４３　　低摩擦シート
５１　　主移送部
５２　　導入移送部
５３　　移送面
５７　　導入口
６０，６１　　移送ガイド
【図１】
2004054331.tif 000003
【図２】
2004054331.tif 000004
【図３】
2004054331.tif 000005
【図４】
2004054331.tif 000006
【図５】
2004054331.tif 000007
【図６】
2004054331.tif 000008